(57)【特許請求の範囲】
【請求項１】
印刷用のシリンダの内面に取り付けられた非接触式データキャリアとの通信を行うリーダライタに接続され、前記リーダライタと前記非接触式データキャリアとの間で通信を行う場合に前記シリンダの空洞に挿入されるアンテナ装置であって、
前記シリンダに挿入する方向を高さ方向とする柱状または略柱状の絶縁基材と、
前記絶縁基材に取り付けられたアンテナと
を有し、
前記絶縁基材の高さは、前記シリンダの開口部から前記非接触式データキャリアまでの距離よりも大きく、
前記絶縁基材には、前記絶縁基材の先端付近から前記シリンダの空洞の長さの半分以上または略半分以上の長さにわたって、前記アンテナが螺旋状もしくは略螺旋状に巻き付けてある、
アンテナ装置。
【請求項２】
印刷用のシリンダの内面に取り付けられた非接触式データキャリアとの通信を行うリーダライタに接続され、前記リーダライタと前記非接触式データキャリアとの間で通信を行う場合に前記シリンダの空洞に挿入されるアンテナ装置であって、
前記シリンダに挿入する方向を高さ方向とする柱状または略柱状の絶縁基材と、
前記絶縁基材に取り付けられたアンテナと
を有し、
前記絶縁基材は、
同一または略同一の外径の第１の部分と、
前記第１の部分から外径が連続的に減少する第２の部分と
を有し、
前記第２の部分の先端は、前記第１の部分の中心線上または略中心線上に位置する、
アンテナ装置。
【請求項３】
前記第１の部分の外径は、前記シリンダの内径よりも小さく、前記シリンダの内径の半分以上または略半分以上である、
請求項２に記載のアンテナ装置。
【請求項４】
前記絶縁基材に取り付けられた前記アンテナを覆う絶縁性の保護層をさらに有する、
請求項１、２、３の何れかに記載のアンテナ装置。
【請求項５】
印刷用のシリンダの内面に取り付けられた非接触式データキャリアとの通信を行うリーダライタと、
前記リーダライタに接続され、前記リーダライタと前記非接触式データキャリアとの間で通信を行う場合に前記シリンダの空洞に挿入されるアンテナ装置と
を有し、
前記アンテナ装置は、
前記シリンダに挿入する方向を高さ方向とする柱状または略柱状の絶縁基材と、
前記絶縁基材に取り付けられたアンテナと
を有し、
前記絶縁基材の高さは、前記シリンダの開口部から前記非接触式データキャリアまでの距離よりも大きく、
前記絶縁基材には、前記絶縁基材の先端付近から前記シリンダの空洞の長さの半分以上または略半分以上の長さにわたって、前記アンテナが螺旋状もしくは略螺旋状に巻き付けてある、
リーダライタ装置。
【請求項６】
印刷用のシリンダの内面に取り付けられた非接触式データキャリアとの通信を行うリーダライタと、
前記リーダライタに接続され、前記リーダライタと前記非接触式データキャリアとの間で通信を行う場合に前記シリンダの空洞に挿入されるアンテナ装置と
を有し、
前記アンテナ装置は、
前記シリンダに挿入する方向を高さ方向とする柱状または略柱状の絶縁基材と、
前記絶縁基材に取り付けられたアンテナと
を有し、
前記絶縁基材は、
同一または略同一の外径の第１の部分と、
前記円柱部から外径が連続的に減少する第２の部分と
を有し、
前記第２の部分の先端は、前記第１の部分の中心線上または略中心線上に位置する、
リーダライタ装置。
【請求項７】
前記第１の部分の外径は、前記シリンダの内径よりも小さく、前記シリンダの内径の半分以上または略半分以上である、
請求項６に記載のリーダライタ装置。
【請求項８】
前記アンテナ装置は、前記絶縁基材に取り付けられた前記アンテナを覆う絶縁性の保護層をさらに有する、
請求項５、６、７の何れかに記載のリーダライタ装置。
【請求項９】
前記リーダライタは、前記非接触式データキャリアとの通信情報を表示する表示装置を有する、
請求項５、６、７、８の何れかに記載のリーダライタ装置。
【発明の詳細な説明】
【０００１】
【発明の属する技術分野】
本発明は、非接触式データキャリアとの通信を行うリーダライタ装置と、このリーダライタ装置で使用されるアンテナ装置とに関する。
【０００２】
【従来の技術】
輪転印刷機では、シリンダを用いてグラビア印刷を行うことがある。
シリンダは、例えば、鋼鉄等の金属の円筒の外面に銅メッキをした構造を有する。一般的には、ポジフィルムを焼き付けたカーボン・ティッシュを転写して腐食製版を行う。
【０００３】
グラビア印刷用に種々のシリンダを製造した場合、シリンダおよびシリンダの情報（シリンダ情報）の管理が必要である。シリンダ情報としては、例えば、シリンダの印刷内容の情報、シリンダに使用するインクおよび印刷用紙の情報等がある。
【０００４】
【発明が解決しようとする課題】
シリンダ情報を記憶した非接触式データキャリアをシリンダの内面に取り付けることで、シリンダにシリンダ情報を保持させることが可能である。
しかし、シリンダの材料が導体であるため、シリンダの内面に取り付けられた非接触式データキャリアの通信距離が小さくなり、シリンダの外部から通信を行うことが困難である。
【０００５】
本発明の目的は、シリンダの内面に取り付けられた非接触式データキャリアとの通信を行うことが可能なリーダライタ装置と、このリーダライタ装置に使用可能なアンテナ装置とを提供することにある。
【０００６】
【課題を解決するための手段】
本発明によれば、印刷用のシリンダの内面に取り付けられた非接触式データキャリアとの通信を行うリーダライタに接続され、前記リーダライタと前記非接触式データキャリアとの間で通信を行う場合に前記シリンダの空洞に挿入されるアンテナ装置であって、
前記シリンダに挿入する方向を高さ方向とする柱状または略柱状の絶縁基材と、
前記絶縁基材に取り付けられたアンテナと
を有し、
前記絶縁基材の高さは、前記シリンダの開口部から前記非接触式データキャリアまでの距離よりも大きく、
前記絶縁基材には、前記絶縁基材の先端付近から前記シリンダの空洞の長さの半分以上または略半分以上の長さにわたって、前記アンテナが螺旋状もしくは略螺旋状に巻き付けてある、
アンテナ装置が提供される。
【０００７】
また本発明によれば、印刷用のシリンダの内面に取り付けられた非接触式データキャリアとの通信を行うリーダライタに接続され、前記リーダライタと前記非接触式データキャリアとの間で通信を行う場合に前記シリンダの空洞に挿入されるアンテナ装置であって、 前記シリンダに挿入する方向を高さ方向とする柱状または略柱状の絶縁基材と、
前記絶縁基材に取り付けられたアンテナと
を有し、
前記絶縁基材は、同一または略同一の外径の第１の部分と、前記第１の部分から外径が連続的に減少する第２の部分とを有し、
前記第２の部分の先端は、前記第１の部分の中心線上または略中心線上に位置する、
アンテナ装置が提供される。
【０００８】
好ましくは、前記第１の部分の外径は、前記シリンダの内径よりも小さく、前記シリンダの内径の半分以上または略半分以上である。
【０００９】
また好ましくは、前記絶縁基材に取り付けられた前記アンテナを覆う絶縁性の保護層をさらに有する。
【００１０】
本発明によれば、印刷用のシリンダの内面に取り付けられた非接触式データキャリアとの通信を行うリーダライタと、前記リーダライタに接続され、前記リーダライタと前記非接触式データキャリアとの間で通信を行う場合に前記シリンダの空洞に挿入されるアンテナ装置とを有し、
前記アンテナ装置は、前記シリンダに挿入する方向を高さ方向とする柱状または略柱状の絶縁基材と、前記絶縁基材に取り付けられたアンテナとを有し、
前記絶縁基材の高さは、前記シリンダの開口部から前記非接触式データキャリアまでの距離よりも大きく、
前記絶縁基材には、前記絶縁基材の先端付近から前記シリンダの空洞の長さの半分以上または略半分以上の長さにわたって、前記アンテナが螺旋状もしくは略螺旋状に巻き付けてある、
リーダライタ装置が提供される。
【００１１】
また本発明によれば、印刷用のシリンダの内面に取り付けられた非接触式データキャリアとの通信を行うリーダライタと、前記リーダライタに接続され、前記リーダライタと前記非接触式データキャリアとの間で通信を行う場合に前記シリンダの空洞に挿入されるアンテナ装置とを有し、
前記アンテナ装置は、前記シリンダに挿入する方向を高さ方向とする柱状または略柱状の絶縁基材と、前記絶縁基材に取り付けられたアンテナとを有し、
前記絶縁基材は、同一または略同一の外径の第１の部分と、前記円柱部から外径が連続的に減少する第２の部分とを有し、
前記第２の部分の先端は、前記第１の部分の中心線上または略中心線上に位置する、
リーダライタ装置が提供される。
【００１２】
好ましくは、前記第１の部分の外径は、前記シリンダの内径よりも小さく、前記シリンダの内径の半分以上または略半分以上である。
【００１３】
好ましくは、前記アンテナ装置は、前記絶縁基材に取り付けられた前記アンテナを覆う絶縁性の保護層をさらに有する。
【００１４】
好ましくは、前記リーダライタは、前記非接触式データキャリアとの通信情報を表示する表示装置を有する。
【００１６】
シリンダの内面に取り付けられた非接触式データキャリアとリーダライタとの間で通信を行う場合に、シリンダの空洞にアンテナ装置を挿入することで、アンテナ装置を非接触式データキャリアに接近させることができ、非接触式データキャリアの通信距離が小さい場合にもリーダライタとの通信が可能である。
例えば、アンテナを取り付けた柱状または略柱状の絶縁基材を空洞に挿入することで、アンテナを非接触式データキャリアに近づけることが可能である。
【００１７】
【発明の実施の形態】
以下、本発明の実施の形態を、添付図面を参照して説明する。
【００１８】
第１の実施の形態
図１は、本発明に係るリーダライタ装置の第１の実施の形態を示す概略的な構成図であると共に、当該リーダライタ装置の使用形態を示す概略的な説明図である。
このリーダライタ装置１６０は、リーダライタ５０と、アンテナ装置６０と、配線５６とを有する。リーダライタ５０およびアンテナ装置６０は、配線５６によって互いに接続されている。
【００１９】
リーダライタ５０は、入力装置５１と、表示装置５２と、制御回路５３と、メモリ５４と、送受信回路５５とを有する。送受信回路５５は、入出力端子Ｔ１を介して配線５６に接続されている。
【００２０】
入力装置５１は、リーダライタ装置１６０の操作者により、種々の情報が入力される。入力装置５１に入力された情報（入力情報）は、制御回路５３に供給される。入力情報としては、例えば、リーダライタ装置１６０のリード／ライトの命令情報、非接触式データキャリア１１に書き込むシリンダ情報等がある。
【００２１】
表示装置５２は、制御回路５３の表示制御の下で、種々の情報を表示する。
例えば、リーダライタ装置１６０の状態を示す情報、入力装置５１の入力情報、非接触式データキャリア１１との通信情報等の情報を、表示画面に表示する。
【００２２】
メモリ５４は、制御回路５３の制御下で種々の情報を記憶する。
メモリ５４は、入力装置５１の入力情報、非接触式データキャリア１１との通信情報等を記憶する。
【００２３】
制御回路５３は、リーダライタ装置１６０の全体を制御するコントローラであり、例えばマイクロコンピュータ（マイコン）により構成される。
制御回路５３は、入力装置５１の入力情報を表示装置５２に供給し、入力情報を表示装置５２の表示画面に表示させる。
【００２４】
また、制御回路５３は、メモリ５４のアクセス制御、および、送受信回路５５の制御を行う。例えば、制御回路５３は、メモリ５４に記憶された書込用のシリンダ情報を読み出し、当該シリンダ情報を送受信回路５５に供給する。
さらに、制御回路５３は、送受信回路５５の受信情報をメモリ５４および表示装置５２に供給し、受信情報を表示装置５２の表示画面に表示させる。
【００２５】
送受信回路５５は、制御回路５３からの書込用のシリンダ情報および書込コマンド（ライトコマンド）を、アンテナ装置６０を介して非接触式データキャリア１１に供給する。
また、送受信回路５５は、読出コマンド（リードコマンド）をアンテナ装置６０を介して非接触式データキャリア１１に供給し、非接触式データキャリア１１との通信で得られたシリンダ情報等の通信情報を制御回路５３に供給する。
【００２６】
アンテナ装置６０は、送受信回路５５から配線５６を介して供給された電気信号を電波に変換し、当該電波からなる信号を非接触式データキャリア１１に送出する。
また、アンテナ装置６０は、非接触式データキャリア１１から送出された電波からなる信号を電気信号に変換し、当該電気信号を送受信回路５５に供給する。
送受信回路５５は、アンテナ装置６０から配線５６を介して供給された電気信号を増幅して制御回路５３に供給する。
【００２７】
アンテナ装置６０は、棒状または略棒状の形状を有し、非接触式データキャリア１１との通信を行う場合に、シリンダ１５の空洞に挿入される。好ましくは、空洞への挿入後に、アンテナ装置６０と非接触式データキャリア１１とが近づくように、空洞内で内周に沿って回るようにアンテナ装置６０を移動させる。
【００２８】
このアンテナ装置６０は、棒状または略棒状のアンテナと、当該アンテナを覆う絶縁性の保護膜とを有し、当該アンテナと配線５６とが接続された構成としてもよい。
また、アンテナ装置６０は、棒状または略棒状の絶縁基材と、当該絶縁基材に沿うアンテナと、絶縁基材上のアンテナを覆う絶縁性の保護膜とを有し、当該アンテナと配線５６とが接続された構成としてもよい。
【００２９】
シリンダ１５は、鋼鉄等の金属の円筒であり、シリンダ１５の外面１５Ｚには、印刷情報に対応する銅メッキが施されている。シリンダ１５の内面１５Ｉの中央部または略中央部には、非接触式データキャリア１１が取り付けてある。
アンテナ装置６０の長さは、シリンダ１５の開口部から非接触式データキャリア１１までの距離よりも大きい。アンテナ装置６０の長さは、図１ではシリンダ１５の長さと同一または略同一になっており、例えばシリンダ１５の長さの１倍程度〜数倍程度としてもよい。
【００３０】
非接触式データキャリア１１は、リーダライタ５０との通信を行う。
この非接触式データキャリア１１は、絶縁基材と、絶縁基材の表面に形成されたアンテナコイルと、アンテナコイルに接続されたマイクロコンピュータ（マイコン）とを有する。このマイコンは、例えば１チップマイコンにより構成される。非接触式データキャリア１１は、前記絶縁基材のうちアンテナコイルの形成面が内側になるように、シリンダ１５の内面１５Ｉに取り付けてある。
【００３１】
非接触式データキャリア１１内のアンテナコイルは、リーダライタ装置１６０のアンテナ装置６０から送出された電波を電気信号に変換し、当該電気信号をマイコンに供給する。
また、アンテナコイルは、マイコンからの電気信号を電波に変換し、当該電波からなる信号をアンテナ装置６０に送出する。
【００３２】
非接触式データキャリア１１内のマイコンは、アンテナコイルからの電気信号に基づいて、種々の動作を行う。このマイコンは、例えば、書込コマンドと共にシリンダ情報を示す信号がアンテナコイルから供給された場合は、当該シリンダ情報をマイコン内のメモリに書き込んで記憶する。
また、このマイコンは、読出コマンドを示す信号がアンテナコイルから供給された場合は、メモリに記憶されたシリンダ情報を読み出し、当該シリンダ情報を示す信号をアンテナコイルに供給する。
【００３３】
第２の実施の形態
図２は、本発明に係るリーダライタ装置の第２の実施の形態を示す概略的な構成図である。図３は、図２のリーダライタ装置の使用形態を示す概略的な説明図である。
リーダライタ装置１７０は、リーダライタ５０と、アンテナ装置７０と、配線５７とを有する。リーダライタ５０およびアンテナ装置７０は、配線５７によって互いに接続されている。
【００３４】
リーダライタ５０は、入力装置５１と、表示装置５２と、制御回路５３と、メモリ５４と、送受信回路５５とを有する。送受信回路５５は、入出力端子Ｔ１を介して配線５７に接続されている。
【００３５】
入力装置５１は、リーダライタ装置１７０の操作者により、種々の情報が入力される。入力装置５１に入力された情報（入力情報）は、制御回路５３に供給される。入力情報としては、例えば、リーダライタ装置１７０のリード／ライトの命令情報、非接触式データキャリア１１に書き込むシリンダ情報等がある。
【００３６】
表示装置５２は、制御回路５３の表示制御の下で、種々の情報を表示する。
例えば、リーダライタ装置１７０の状態を示す情報、入力装置５１の入力情報、非接触式データキャリア１１との通信情報等の情報を、表示画面に表示する。
【００３７】
メモリ５４は、制御回路５３の制御下で種々の情報を記憶する。
メモリ５４は、入力装置５１の入力情報、非接触式データキャリア１１との通信情報等を記憶する。
【００３８】
制御回路５３は、リーダライタ装置１７０の全体を制御するコントローラであり、例えばマイクロコンピュータ（マイコン）により構成される。
制御回路５３は、入力装置５１の入力情報をメモリ５４および表示装置５２に供給し、入力情報を表示装置５２の表示画面に表示させる。
【００３９】
また、制御回路５３は、メモリ５４のアクセス制御、および、送受信回路５５の制御を行う。例えば、制御回路５３は、メモリ５４に記憶された書込用のシリンダ情報を読み出し、当該シリンダ情報を送受信回路５５に供給する。
さらに、制御回路５３は、送受信回路５５の受信情報を表示装置５２に供給し、通信情報を表示装置５２の表示画面に表示させる。
【００４０】
送受信回路５５は、制御回路５３からの書込用のシリンダ情報および書込コマンド（ライトコマンド）をアンテナ装置７０を介して非接触式データキャリア１１に供給する。
また、送受信回路５５は、読出コマンド（リードコマンド）をアンテナ装置６０を介して非接触式データキャリア１１に供給し、非接触式データキャリア１１との通信で得られたシリンダ情報等の通信情報を制御回路５３に供給する。
【００４１】
アンテナ装置７０は、送受信回路５５から配線５７を介して供給された電気信号を電波に変換し、当該電波からなる信号を非接触式データキャリア１１に送出する。
また、アンテナ装置７０は、非接触式データキャリア１１から送出された電波からなる信号を電気信号に変換し、当該電気信号を送受信回路５５に供給する。
送受信回路５５は、アンテナ装置７０から配線５７を介して供給された電気信号を増幅して制御回路５３に供給する。
【００４２】
アンテナ装置７０は、非接触式データキャリア１１との通信を行う場合に、シリンダ１５の空洞に挿入される。
このアンテナ装置７０は、シリンダ１５に挿入する方向を高さ方向とする柱状または略柱状の絶縁基材７１と、絶縁基材７１に取り付けられたアンテナ７２と、当該絶縁基材７１に取り付けられたアンテナ７２を覆う不図示の絶縁性の保護膜とを有する。
【００４３】
絶縁基材７１の高さは、シリンダ１５の開口部から非接触式データキャリア１１までの距離よりも大きい。絶縁基材７１には、絶縁基材７１の先端付近からシリンダ１５の空洞の長さの半分以上または略半分以上の長さにわたって、アンテナ７２が螺旋状もしくは略螺旋状に巻き付けてある。巻付け回数は、１回以上であり、好適には複数回とする。
【００４４】
絶縁基材７１は、同一または略同一の外径の第１の部分である円柱部７１Ｂと、円柱部７１Ｂから外径が連続的に減少する第２の部分である傾斜部７１Ａとを有する。傾斜部７１Ａの外形は、円錐状または略円錐状の形状を有し、傾斜部７１Ａの頂点は、円柱部７１Ｂの中心線上または略中心線上に位置する。
円柱部７１Ｂの外径は、シリンダ１５の内径よりも小さく、シリンダ１５の内径の半分以上または略半分以上である。好適には、円柱部７１Ｂの外径は、シリンダ１５の内径よりも１ｃｍ程度〜２ｃｍ程度小さくする。
【００４５】
シリンダ１５は、鋼鉄等の金属の円筒であり、シリンダ１５の外面１５Ｚには、印刷情報に対応する銅メッキが施されている。シリンダ１５の内面１５Ｉの中央部または略中央部には、非接触式データキャリア１１が取り付けてある。
アンテナ装置７０の長さは、シリンダ１５の開口部から非接触式データキャリア１１までの距離よりも大きい。アンテナ装置７０の長さは、図３ではシリンダ１５の長さと同一または略同一になっており、例えばシリンダ１５の長さの１倍程度〜数倍程度としてもよい。
【００４６】
非接触式データキャリア１１は、リーダライタ５０との通信を行う。
この非接触式データキャリア１１は、絶縁基材と、絶縁基材の表面に形成されたアンテナコイルと、アンテナコイルに接続されたマイコンとを有する。このマイコンは、例えば１チップマイコンにより構成される。非接触式データキャリア１１は、前記絶縁基材のうちアンテナコイルの形成面が内側になるように、シリンダ１５の内面１５Ｉに取り付けてある。
【００４７】
非接触式データキャリア１１内のアンテナコイルは、リーダライタ装置１７０のアンテナ装置７０から送出された電波を電気信号に変換し、当該電気信号をマイコンに供給する。
また、アンテナコイルは、マイコンからの電気信号を電波に変換し、当該電波からなる信号をアンテナ装置７０に送出する。
【００４８】
非接触式データキャリア１１内のマイコンは、アンテナコイルからの電気信号に基づいて、種々の動作を行う。このマイコンは、例えば、書込コマンドと共にシリンダ情報を示す信号がアンテナコイルから供給された場合は、当該シリンダ情報をマイコン内のメモリに書き込んで記憶する。
また、このマイコンは、読出コマンドを示す信号がアンテナコイルから供給された場合は、メモリに記憶されたシリンダ情報を読み出し、当該シリンダ情報を示す信号をアンテナコイルに供給する。
【００４９】
アンテナ装置７０は傾斜部７１Ａを有するので、リーダライタ装置１７０の操作者は、アンテナ装置７０をシリンダ１５の空洞に容易かつスムーズに挿入することができる。また、挿入時における、アンテナ装置７０の先端と非接触式データキャリア１１との衝突を防止することが可能である。
また、絶縁基材７１にアンテナ７２を巻き付けてあるので、アンテナ装置７０を空洞に挿入することで、シリンダ１５の内面１５Ｉに取り付けられた非接触式データキャリア１１に対してアンテナ７２を接近させることができる。
【００５０】
なお、アンテナ７２を複数本の導体線とし、当該複数本の導体線を平行または略平行に絶縁基材７１に巻き付けてもよい。また、アンテナ７２を１本の導体線を折り畳んだ構成とし、折り畳まれた導体線を絶縁基材７１に巻き付けてもよい。
また、リーダライタ５０において、制御回路５３とメモリ５４とを一体化した構成としてもよい。
また、上記実施の形態は本発明の例示であり、本発明は上記実施の形態に限定されない。
【００５１】
【発明の効果】
以上に説明したように、本発明によれば、シリンダの内面に取り付けられた非接触式データキャリアとの通信を行うことが可能なリーダライタ装置と、このリーダライタ装置に使用可能なアンテナ装置とを提供することができる。
【図面の簡単な説明】
【図１】本発明に係るリーダライタ装置の第１の実施の形態を示す概略的な構成図である。
【図２】本発明に係るリーダライタ装置の第２の実施の形態を示す概略的な構成図である。
【図３】図２のリーダライタ装置を使用形態を示す概略的な説明図である。
【符号の説明】
１１…非接触式データキャリア、１５…シリンダ、１５Ｉ…内面、１５Ｚ…外面、５０…リーダライタ、５１…入力装置、５２…表示装置、５３…制御回路、５４…メモリ、５５…送受信回路、５６，５７…配線、６０，７０…アンテナ装置、７１…絶縁基材、７１Ａ…傾斜部、７１Ｂ…円柱部、７２…アンテナ、１６０，１７０…リーダライタ装置、Ｔ１…入出力端子。
【図１】
0004592876.tif 000002
【図２】
0004592876.tif 000003
【図３】
0004592876.tif 000004